(57)【要約】【課題】小型化、省資源化が可能で安価な偏向ヨーク装置を提供する。【解決手段】主磁気コア６と主水平偏向コイル４と主垂直偏向コイル５を有する主偏向ヨーク４１と、副磁気コア９と副水平偏向コイル４４と副垂直偏向コイル４３を有する副偏向ヨーク４２と、コイルセパレータ２を備え、コイルセパレータ２が２つのセパレータ半体３５からなり、各セパレータ半体３５の主水平偏向コイル４と主垂直偏向コイル５を装着する装着部３６の一端に副偏向ヨーク４２を収容する収容凹部３７を一体に形成したことを特徴とする。【選択図】  図２
2005285643.tif 000002
【特許請求の範囲】
【請求項１】
主磁気コアと主水平偏向コイルと主垂直偏向コイルを有する主偏向ヨークと、
副磁気コアと副水平偏向コイルと副垂直偏向コイルを有する副偏向ヨークと、
前記主水平偏向コイルと主垂直偏向コイルを隔離して装着するコイルセパレータとを備えた偏向ヨーク装置において、
前記コイルセパレータが２つのセパレータ半体からなり、各セパレータ半体の前記主水平偏向コイルならびに主垂直偏向コイルを装着する装着部の一端に前記副偏向ヨークを収容する収容凹部を一体に形成し、一方のセパレータ半体と他方のセパレータ半体を組み合わせて接合することにより、前記収容凹部内に副偏向ヨークが収容されることを特徴とする偏向ヨーク装置。
【請求項２】
請求項１記載の偏向ヨーク装置において、前記セパレータ半体の収容凹部内に、前記副偏向ヨークをＸ−Ｙ軸方向ならびにＺ軸方向に位置決めする位置決め手段が設けられていることを特徴とする偏向ヨーク装置。
【請求項３】
請求項２記載の偏向ヨーク装置において、前記位置決め手段が、副磁気コアの副水平偏向コイルならびに副垂直偏向コイルが巻装されていない個所と接触するように設けられていることを特徴とする偏向ヨーク装置。
【請求項４】
請求項２記載の偏向ヨーク装置において、前記位置決め手段の一つが前記副偏向ヨークを所定の方向に弾性的に押圧する押圧片からなり、その押圧片の先端部に前記副偏向ヨークの挿入方向に向いて傾斜面が形成されていることを特徴とする偏向ヨーク装置。
【発明の詳細な説明】
【技術分野】
【０００１】
本発明は、３つの単色陰極線管（ブラウン管）などに用いる偏向ヨーク装置に係り、特に副偏向ヨークの保持構造に関するものである。
【背景技術】
【０００２】
３つの単色陰極線管を用いた例えば液晶プロジェクターなどの投射型表示装置は、光の三原色（赤、緑、青）に対応した３つの単色陰極線管を設け、それら陰極線管により表示される映像を光学系を用いて反射式または透過式のスクリーン上に投写して合成表示するタイプの表示装置であり、液晶プロジェクターなどの大画面表示に適している。
【０００３】
図１２は、従来の投射型偏向ヨーク装置の一部を切除した側面図である。この偏向ヨーク装置は、主偏向ヨーク４１と、副偏向ヨーク４２と、コイルセパレータ１と、ホルダー３から主に構成されている。主偏向ヨーク４１は、主磁気コア６と、主水平偏向コイル４と、主垂直偏向コイル５から構成されている。
【０００４】
このコイルセパレータ１に主偏向ヨーク４１を装着し、その後端側３１（陰極線管の電子銃側）にZ軸方向（管軸方向）より副偏向ヨーク４２を装着して、コイルセパレータ１にホルダー３を嵌合して副偏向ヨーク４２を固定する。このホルダー3には、画面位置調整マグネット７と本偏向ヨークを陰極線管に保持するための固定バンド８が装着される。
【０００５】
図１３及び図１４は前記コイルセパレータ１の正面図及び側面図、図１５はホルダー3の底面図、図１６は図１５Ｃ−Ｃ線上の断面図である。
【０００６】
副偏向ヨーク４２をZ軸方向（図１４参照）から挿入して支持するためコイルセパレータ1の上部に、Z軸方向に延びた複数本の回転止め突起１４と、それの基端部から水平方向内側に延びた受け部１５（図１３参照）が、それぞれ設けられている。
【０００７】
またホルダー3をコイルセパレータ1に嵌合してZ軸方向（管軸方向）及び回転方向の保持を確保するため、コイルセパレータ１の上部に複数の回転止め溝１１が設けられ、一方、ホルダー３に形成されたほぼ円筒状の嵌合筒部３２の内面に前記回転止め溝１１へ嵌入する回転止め突起１３が、さらに嵌合筒部３２の下端部に固定爪１２が設けられている。
【０００８】
図１５と図１６に示すように、ホルダー3の上面部３３の内面には切り起し状の押圧片１６が複数突設されている。図１２に示すように、副偏向ヨーク４２をコイルセパレータ1の上部にセットして、その上からホルダー３を装着した際、前記押圧片１６により副偏向ヨーク４２がコイルセパレータ１の受け部１５側に弾性的に押圧されて、副偏向ヨーク４２のZ軸方向（管軸方向）の位置決めがなされる。図１５ならびに図１６中の符号３４は端子板カバー部で、嵌合筒部３２に連設されている。
【発明の開示】
【発明が解決しようとする課題】
【０００９】
従来の偏向ヨーク装置はコイルセパレータ１とホルダー3が別体となっており、ホルダー3をコイルセパレーター1に嵌合する構造になっている。そのためホルダー３の嵌合筒部３２の内径Ｄ１（図１６参照）はコイルセパレータ１における上部鍔部３１の外径Ｄ２以上にする必要がある。そのためホルダー3の小型化ができず、省資源化が難しく、コスト高となるなどの問題を有している。
【００１０】
本発明の目的は、このような従来技術の欠点を解消し、小型化、省資源化が可能で安価な偏向ヨーク装置を提供することにある。
【課題を解決するための手段】
【００１１】
前記目的を達成するため本発明の第1の手段は、主磁気コアと主水平偏向コイルと主垂直偏向コイルを有する主偏向ヨークと、副磁気コアと副水平偏向コイルと副垂直偏向コイルを有する副偏向ヨークと、前記主水平偏向コイルと主垂直偏向コイルを隔離して装着するコイルセパレータとを備えた偏向ヨーク装置において、
前記コイルセパレータが２つのセパレータ半体からなり、各セパレータ半体の前記主水平偏向コイルならびに主垂直偏向コイルを装着する装着部の一端に前記副偏向ヨークを収容する収容凹部を一体に形成し、一方のセパレータ半体と他方のセパレータ半体を組み合わせて接合することにより、前記収容凹部内に副偏向ヨークが収容されることを特徴とするものである。
【００１２】
本発明の第２の手段は前記第1の手段において、前記セパレータ半体の収容凹部内に、前記副偏向ヨークをＸ−Ｙ軸方向ならびにＺ軸方向に位置決めするための例えば回転止め突起、押圧片、ＸＹ方向位置決め突起、Z軸方向位置決め突起、回転止め溝などの位置決め手段が設けられていることを特徴とするものである。
【００１３】
本発明の第３の手段は前記第２の手段において、前記位置決め手段が、副磁気コアの副水平偏向コイルならびに副垂直偏向コイルが巻装されていない個所と接触するように設けられていることを特徴とするものである。
【００１４】
本発明の第４の手段は前記第２の手段において、前記位置決め手段の一つが前記副偏向ヨークを所定の方向に弾性的に押圧する押圧片からなり、その押圧片の先端部に前記副偏向ヨークの挿入方向に向いて傾斜面が形成されていることを特徴とするものである。
【発明の効果】
【００１５】
請求項１記載の本発明は前述のように、セパレータ半体における装着部の一端に副偏向ヨークを収容するための収容凹部が一体に形成されているから、コイルセパレータの上部にホルダーを外嵌する従来のものよりも小型化、省資源化が図れ、安価な偏向ヨーク装置を提供することができる。
【００１６】
請求項２記載の本発明は前述のように、収容凹部内に副偏向ヨークをＸ−Ｙ軸方向ならびにＺ軸方向に位置決めするための位置決め手段が設けられているから、副偏向ヨークをがたつきなく適正な位置に保持することができる。
【００１７】
請求項３記載の本発明は前述のように、位置決め手段が副磁気コアのコイルが巻装されていない個所と接触するように設けられているから、コイルを構成する電線に傷がつくことがない。
【００１８】
請求項４記載の本発明は前述のように、押圧片の先端部に副偏向ヨークの挿入方向に向いて傾斜面が形成されているから、副偏向ヨークを挿入する際にコイルを構成する電線に傷がつくことがなく、副偏向ヨークの挿入がスムーズであるなどの特長を有している。
【発明を実施するための最良の形態】
【００１９】
次に本発明の実施形態を図面とともに説明する。図１は、本発明の実施形態に係る投射型偏向ヨーク装置の一部を切除した側面図である。
【００２０】
同図に示すようにこの偏向ヨーク装置は、主偏向ヨーク４１と副偏向ヨーク４２とコイルセパレーター２から主に構成されている。主偏向ヨーク４１は、主水平偏向コイル４と主垂直偏向コイル５と主磁気コア６から構成されている。コイルセパレーター２の上部には、画面位置調整マグネット７と偏向ヨーク固定バンド8が設けられている。図中の３８はホットメルト系接着剤層、３９は端子板である。
【００２１】
図２は、コイルセパレータ２を構成するセパレータ半体３５の側面図である。セパレータ半体３５は合成樹脂の成形体からなり、コイルセパレータ２を縦に２等分した形状を有しており、図７に示されているようにセパレータ半体３５ａとセパレータ半体３５ｂを組み合わせることにより、コイルセパレータ２が構成される。
【００２２】
セパレータ半体３５は、図１に示すように主水平偏向コイル４と主垂直偏向コイル５を隔離して装着する装着部３６と、副偏向ヨーク４２の半分を収納するほぼ半円筒状の収納凹部３７とを有し、装着部３６と収納凹部３７は一体成形されている。
【００２３】
前記収納凹部３７の一部を形成するほぼ半円筒状の周壁４６のほぼ中央部の上下に山形の回転止め突起１７が設けられ、その回転止め突起１７の両側に所定の間隔をおいて側面形状がほぼＴ字のＸ−Ｙ軸方向位置決め突起１９が設けられている。本明細書において、Ｚ軸方向は管軸方向であり、Ｘ−Ｙ軸方向はそのＺ軸方向と直交する方向である。
【００２４】
図３ならびに図４に示すように、収納凹部３７の一部を形成する円弧状の上面壁４７の下面には所定の間隔をおいてＺ軸方向位置決め突起２０が設けられ、このＺ軸方向位置決め突起２０の下方にはそれと対向するように弾性を有する押圧片１８が周壁４６より突設されている。図4に示すように押圧片１８は副偏向ヨーク４２の挿入方向Ａに向けて延びており、その先端部４８に副偏向ヨーク４２の挿入方向Ａに向けて傾斜した傾斜面４９が形成されている。
【００２５】
セパレータ半体３５の上下，左右には、セパレータ半体３５ａとセパレータ半体３５ｂを組み合わせて接合するための係止爪５０と、相手側の係止爪５０が挿入されて係合する係合口部５１とが対になって形成されている。
【００２６】
図５および図６は、副偏向ヨーク４２の平面図および側面図である。副偏向ヨーク４２は、円筒状をした副磁気コア９と、それに巻装した副垂直偏向コイル４３と副水平偏向コイル４４とから構成されている。これらコイル４３，４４が巻装されていない副磁気コア９の部分に1つおきに回転止め溝２１が副偏向ヨーク４２の軸方向に沿って形成されている。図４中の符号４５は、電線の解れ防止用テープである。
【００２７】
図７はコイルセパレーター２に副偏向ヨーク４２を組み込んだ状態を示す平面図、図８は図７Ａ−Ａ線上の断面図、図９は図７Ｂ−Ｂ線上の断面図、図１０は図８Ｘ部の拡大図、図１１は図９Ｙ部の拡大図である。
【００２８】
副偏向ヨーク４２の側面に形成された回転止め溝２１の１つがセパレータ半体３５の回転止め突起１７（図２参照）と対向するようにして、副偏向ヨーク４２をセパレータ半体３５の収納凹部３７に挿入する。図４の矢印Ａは、副偏向ヨーク４２の挿入方向を示している。
【００２９】
このようにして挿入すると、図７および図１１に示されているように回転止め溝２１に回転止め突起１７が挿入されるとともに、上下，左右に設けられているＸＹ軸方向位置決め突起１９の間に副偏向ヨーク４２が位置決め支持される。また、副偏向ヨーク４２の挿入に伴って押圧片１８が図１０に示されているように弓状に弾性変形し、その反発力で副偏向ヨーク４２をZ軸方向位置決め突起２０側に押圧して、副偏向ヨーク４２は押圧片１８と位置決め突起２０との間で弾性的に挟持されて、Z軸方向の位置決めがなされる。押圧片１８の先端部４８に傾斜面４９が形成されているから、副偏向ヨーク４２を圧入する際に電線を傷めることがなく、副偏向ヨーク４２の挿入がスムーズである。
【００３０】
図７ないし図１１に示すように、押圧片１８、回転止め突起１７、ＸＹ方向位置決め突起１９、Z軸方向位置決め突起２０は、副偏向ヨーク４２のコイル４３，４４が巻装されていない副磁気コア９の個所で接触しており、副偏向ヨーク４２の電線保護を図っている。
【００３１】
このようにして一方のセパレータ半体３５ａの収納凹部３７に副偏向ヨーク４２の半分を収納した後、他方のセパレータ半体３５ｂをセパレータ半体３５ａに嵌合することにより、副偏向ヨーク４２はコイルセパレーター２内の所定の位置に適正に、かつがたつきなく確実に装着される。
【００３２】
本実施形態では投射型表示装置に用いる偏向ヨーク装置の場合について説明したが、本発明はこれに限定されるものではなく、他の用途の偏向ヨーク装置にも適用可能である。
【図面の簡単な説明】
【００３３】
【図１】本発明の実施形態に投射型偏向ヨーク装置の一部を切除した側面図である。
【図２】その偏向ヨーク装置に用いるセパレータ半体の側面図である。
【図３】そのセパレータ半体の斜視図である。
【図４】そのセパレータ半体の斜視図である。
【図５】その偏向ヨーク装置に用いる副偏向ヨークの平面図である。
【図６】その副偏向ヨークの側面図である。
【図７】コイルセパレーターに副偏向ヨークを組み込んだ状態を示す平面図である。
【図８】図７Ａ−Ａ線上の断面図である。
【図９】図７Ｂ−Ｂ線上の断面図である。
【図１０】図８Ｘ部の拡大図である。
【図１１】図９Ｙ部の拡大図である。
【図１２】従来の投射型偏向ヨーク装置の一部を切除した側面図である。
【図１３】その投射型偏向ヨーク装置に用いるコイルセパレータの平面図である。
【図１４】そのコイルセパレータの側面図である。
【図１５】その投射型偏向ヨーク装置に用いるホルダーの底面図である。
【図１６】図１５Ｃ−Ｃ線上の断面図である。
【符号の説明】
【００３４】
２：コイルセパレータ、４：主水平偏向コイル、５：主垂直偏向コイル、６：主磁気コア、７：画面位置調整マグネット、８：固定バンド、９：副磁気コア、１７：回転止め突起、１８：押圧片、１９：ＸＹ軸方向位置決め突起、２０： Z軸方向位置決め突起、２１：回転止め溝、３５、３５，３５ｂ：セパレータ半体、３６：装着部、３７：収納凹部、３８：ホットメルト系接着剤、３９：端子板、４１：主偏向ヨーク、４２：副偏向ヨーク、４３：副垂直偏向コイル、４４：副水平偏向コイル、４５：テープ、４６：周壁、４７：上面壁、４８：先端部、４９：傾斜面、５０：係止爪、５１：係合口部、Ａ：副偏向ヨークの挿入方向。
【図１】
2005285643.tif 000003
【図２】
2005285643.tif 000004
【図３】
2005285643.tif 000005
【図４】
2005285643.tif 000006
【図５】
2005285643.tif 000007
【図６】
2005285643.tif 000008
【図７】
2005285643.tif 000009
【図８】
2005285643.tif 000010
【図９】
2005285643.tif 000011
【図１０】
2005285643.tif 000012
【図１１】
2005285643.tif 000013
【図１２】
2005285643.tif 000014
【図１３】
2005285643.tif 000015
【図１４】
2005285643.tif 000016
【図１５】
2005285643.tif 000017
【図１６】
2005285643.tif 000018